(57)【特許請求の範囲】
【請求項１】
駆動部と、当該駆動部を駆動させることで移動する移動体と、当該移動体の移動により接点部の接離が切り換えられる複数の接点機構と、が組み付けられるボディと、
前記ボディに外嵌装着されるケースと、
を備える電磁リレーであって、
前記ケースの内部に隔壁が設けられるとともに、前記ボディにおける前記隔壁に対応する部位に係止部が設けられており、
前記ケースを前記ボディに外嵌装着した状態で、前記隔壁の先端が前記係止部に係止されており、
前記係止部と前記隔壁との間には、接着剤の移動を規制する規制部が形成されていることを特徴とする電磁リレー。
【請求項２】
前記隔壁の先端と前記係止部とが接着剤を介して係止されていることを特徴とする請求項１に記載の電磁リレー。
【請求項３】
前記ケースを前記ボディに外嵌装着した状態で、前記複数の接点機構が前記隔壁によってそれぞれ隔離されていることを特徴とする請求項１または請求項２に記載の電磁リレー。
【請求項４】
前記係止部は、接着剤を導入する貫通孔を有していることを特徴とする請求項１〜３のうちいずれか１項に記載の電磁リレー。
【請求項５】
前記係止部は、前記隔壁の先端が挿入される溝部を有しており、当該溝部内に隔壁の先端が係止されていることを特徴とする請求項１〜４のうちいずれか１項に記載の電磁リレー。
【請求項６】
前記溝部には、前記ボディの側部に開口する開口部が形成されていることを特徴とする請求項５に記載の電磁リレー。
【発明の詳細な説明】
【技術分野】
【０００１】
本発明は、電磁リレーに関する。
【背景技術】
【０００２】
従来、電磁リレーとして、ケースを接点機構や電磁石装置が組み付けられたボディに外嵌装着させるようにしたものが知られている（例えば、特許文献１参照）。
【先行技術文献】
【特許文献】
【０００３】
【特許文献１】特開２００６−３４４３９７号公報
【発明の概要】
【発明が解決しようとする課題】
【０００４】
しかしながら、上記従来技術では、ケースとボディとを外周部の接着のみで固定している。そのため、接着剤を硬化させる際等、周囲の温度変化によりボディが反るまたは変形するために、特性が変化してしまうことがあった。
【０００５】
そこで、本発明は、ボディが反るまたは変形するのを抑制することのできる電磁リレーを得ることを目的とする。
【課題を解決するための手段】
【０００６】
本発明にあっては、駆動部と、当該駆動部を駆動させることで移動する移動体と、当該移動体の移動により接点部の接離が切り換えられる複数の接点機構と、が組み付けられるボディと、前記ボディに外嵌装着されるケースと、を備える電磁リレーであって、前記ケースの内部に隔壁が設けられるとともに、前記ボディにおける前記隔壁に対応する部位に係止部が設けられており、前記ケースを前記ボディに外嵌装着した状態で、前記隔壁の先端が前記係止部に係止されており、前記係止部と前記隔壁との間には、接着剤の移動を規制する規制部が形成されていることを主要な特徴とする。
【発明の効果】
【０００７】
本発明によれば、ケースの内部に隔壁を設けるとともに、ボディにおける隔壁に対応する部位に係止部を設け、ケースをボディに外嵌装着した状態で、隔壁の先端を係止部に係止させるようにした。このように、ケースの内部に設けた隔壁をボディに係止させることで、周囲の温度変化によりボディが反るまたは変形するのを抑制することができる。
【図面の簡単な説明】
【０００８】
【図１】図１は、本発明の一実施形態にかかる電磁リレーを一部分解して示す斜視図である。
【図２】図２は、本発明の一実施形態にかかる電磁リレー本体部を一部分解して示す斜視図である。
【図３】図３は、本発明の一実施形態にかかる電磁リレー本体部を示す斜視図である。
【図４】図４は、本発明の一実施形態にかかる電磁リレーのケース内側を示す斜視図である。
【図５】図５は、本発明の一実施形態にかかる電磁リレーのベースを模式的に示す平面図である。
【図６】図６は、本発明の一実施形態にかかる電磁リレーを模式的に示す縦断面図である。
【図７】図７は、本発明の一実施形態にかかる電磁リレーを模式的に示す横断面図である。
【発明を実施するための形態】
【０００９】
以下、本発明の実施形態について図面を参照しつつ詳細に説明する。
【００１０】
本実施形態にかかる電磁リレー１は、電磁リレー本体部１０の上方からケース２０を被せ、当該ケース２０をボディ４０に接着固定することで略箱型に形成されている。
【００１１】
電磁リレー本体部１０は、電磁石装置（駆動部）３０および複数の接点機構６０，７０をボディ４０に組み付けることで形成されている。
【００１２】
具体的には、電磁石装置３０をボディ４０の長手方向中央部に組み付けるとともに、ボディ４０の長手方向両側（電磁石装置３０の両端側）に、複数（本実施形態では、３つずつ）の接点機構６０，７０を組み付け、各接点機構６０，７０の後述する可動接点部６１，７１をカード（移動体）５０で挟持することで、電磁リレー本体部１０が形成されている。
【００１３】
そして、通電のオン・オフ切換により電磁石装置（駆動部）３０を駆動させ、当該電磁石装置（駆動部）３０の駆動をカード５０に伝達することで、複数の接点機構６０，７０の開状態・閉状態を切り換えられるようにしている。
【００１４】
この電磁石装置（駆動部）３０としては、公知のものを用いることができ、例えば、永久磁石、継鉄、アーマチュア、可動ばねおよびコイルで電磁石装置３０を構成することができる。このような電磁石装置３０を用いれば、コイルに通電することでアーマチュアを移動させ、当該アーマチュアの移動に伴ってカード５０をボディ４０の長手方向に移動させるようにすることができる。
【００１５】
また、電磁石装置３０には、図示せぬ基板に接続するための基板接続用端子３０ａが設けられている。この基板接続用端子３０ａをボディ４０の電磁石装置（駆動部）載置用の凹部４４に形成された端子挿通孔４４ａに挿通し、ボディ４０の下面側に端子３０ａが突出するように電磁石装置３０を圧入することで、電磁石装置３０がボディ４０の長手方向中央部に組み付けられている。
【００１６】
また、略長方形状のボディ４０の長手方向両端部には、短手方向に延在する接点機構固定用のスリット穴４１が複数形成されており、ボディ４０の長手方向で隣り合うスリット４１の間には、後述するケース２０の隔壁２１の先端が挿入されるスリット（係止部：溝部）４２が形成されている。
【００１７】
また、ボディ４０の外周部には、ケース２０接着用の外周溝４３が形成されており、この外周溝４３にケース２０の外周部２０ａを外嵌接着することで、ケース２０がボディ４０に外嵌装着されるようにしている。
【００１８】
そして、電磁石装置（駆動部）載置用の凹部４４の両側のボディ４０の短手方向中央部には、ボディ４０の長手方向に延在するガイド凹部４５が形成されており、カード５０の先端が当該ガイド凹部４５内でガイドされながら移動できるようになっている。
【００１９】
また、複数の接点機構６０，７０は、それぞれ、可動接点部６１，７１および固定接点部６２，７２を備えている。
【００２０】
可動接点部６１は、カード５０に挟持される薄板状の板ばね６１ａと、当該板ばね６１ａの根元部分に取り付けられた固定板６１ｂと、固定板６１ｂに設けられた基板接続用の端子６１ｃと、板ばね６１ａの先端部分に設けられた可動接点６１ｄとで構成されている。
【００２１】
一方、固定接点部６２は、上側固定板６２ａと、下側固定板６２ｂと、下側固定板６２ｂに設けられた基板接続用の端子６２ｃと、上側固定板６２ａに設けられ、可動接点６１ｄと接離可能な固定接点６２ｄとで構成されている。
【００２２】
また、可動接点部７１は、カード５０に挟持される薄板状の板ばね７１ａと、当該板ばね７１ａの根元部分に取り付けられた固定板７１ｂと、固定板７１ｂに設けられた基板接続用の端子７１ｃと、板ばね７１ａの先端部分に設けられた可動接点７１ｄとで構成されている。
【００２３】
一方、固定接点部７２は、上側固定板７２ａと、下側固定板７２ｂと、下側固定板７２ｂに設けられた基板接続用の端子７２ｃと、上側固定板７２ａに設けられ、可動接点７１ｄと接離可能な固定接点７２ｄとで構成されている。
【００２４】
そして、各端子６１ｃ，６２ｃ，７１ｃ，７２ｃをそれぞれボディ４０の下面側に突出するようにスリット穴４１に挿通し、可動接点部６１，７１および固定接点部６２，７２をスリット穴４１に圧入することで、可動接点部６１，７１および固定接点部６２，７２がボディ４０に組み付けられている。
【００２５】
ここで、本実施形態では、接点機構６０の可動接点部６１および固定接点部６２には、それぞれ１つの接点６１ｄ，６２ｄが設けられている。
【００２６】
また、接点機構７０の可動接点部７１および固定接点部７２には、接点７１ｄ，７２ｄがそれぞれ２つずつ設けられている。本実施形態では、可動接点部７１および固定接点部７２の２つの接点７１ｄ，７１ｄおよび７２ｄ，７２ｄは、上下に並設されており、上側の接点７１ｄ，７２ｄ同士が接触するとともに、下側の接点７１ｄ，７２ｄ同士が接触するようになっている。
【００２７】
このように、本実施形態にかかる電磁リレー１は、可動接点部６１および固定接点部６２にそれぞれ１つの接点６１ｄ，６２ｄが設けられた接点機構６０を少なくとも１つ有するとともに、可動接点部７１および固定接点部７２のうち少なくともいずれか一方（本実施形態では、両方）に複数（２つ）の接点７１ｄ，７２ｄが設けられた接点機構７０を少なくとも１つ有している。かかる構成とすることで、接点の信頼性を向上しつつ、コスト削減を図っている。
【００２８】
さらに、本実施形態では、図３および図６に示すように、接点機構（複数の接点が設けられた接点機構）７０を常閉接点としている。すなわち、接点機構（複数の接点が設けられた接点機構）７０を、電磁石装置（駆動部）３０が無励磁の状態で、接点７１ｄ，７２ｄが接触しており、電磁石装置（駆動部）３０を励磁させることで、接点７１ｄ，７２ｄを離間させるようにしている。
【００２９】
このように、接触信頼性が接点機構（接点が１つの接点機構）６０よりも高い接点機構（接点が複数の接点機構）７０を付着した異物を除去しにくい常閉接点として用いることで、接触信頼性を一層向上することができる。
【００３０】
一方、接点機構（１つの接点が設けられた接点機構）６０は、常開接点となるようにしている。すなわち、接点機構（１つの接点が設けられた接点機構）６０を、電磁石装置（駆動部）３０が無励磁の状態で接点６１ｄ，６２ｄが離間しており、電磁石装置（駆動部）３０を励磁させることで接点６１ｄ，６２ｄを接触させるようにしている。
【００３１】
また、本実施形態では、図６に示すように、電磁石装置（駆動部）３０から右側にかけて、常閉接点としての接点機構７０、常閉接点としての接点機構７０、常開接点としての接点機構６０の順に配置されており、電磁石装置（駆動部）３０から左側にかけて、常開接点としての接点機構６０が３つ配置されている。
【００３２】
このように、電磁リレー１を多極型の電磁リレーとすることで、１つの電磁リレーを、多様な回路に対応させることができ、信号制御用電磁リレーや高電流制御用電磁リレー等様々な用途に応じた電磁リレーとして使用することが可能となる。
【００３３】
ケース２０は、下方が開口した略箱状をしており、電磁石装置（駆動部）３０や複数の接点機構６０，７０をボディ４０に組み付けた状態でそれらを上部から覆うようになっている。本実施形態では、ケース２０の外周部２０ａを外周溝４３に接着剤により接着することで、ケース２０をボディ４０に外嵌装着している。なお、図１の符号２３は、ケース２０を接着・硬化させる際に、内圧が高くならないようにするための空気逃がし用の穴である。
【００３４】
ここで、本実施形態では、ケース２０の内部に隔壁２１を設けている。具体的には、ケース２０の内部には、短手方向に延在する隔壁２１が長手方向に３つずつ（複数）並設されており、この隔壁２１の短手方向中央部には、カード５０の移動を許容する空間部２２が形成されている。すなわち、隔壁２１は、短手方向一方側と他方側とにそれぞれ６つずつ並設されている。なお、図３の符号２４は、後述する隔壁２１を補強するとともに、接点機構６０，７０の可動範囲を制限するための壁部である。
【００３５】
また、ボディ４０における隔壁２１に対応する部位には係止部が設けられている。そして、ケース２０をボディ４０に外嵌装着した状態で、隔壁２１の先端が係止部に係止されるようにしている。
【００３６】
本実施形態では、係止部は、ケース２０の隔壁２１の先端が挿入されるスリット（溝部）４２と、スリット４２にボディ４０の裏面側に貫通するように形成された接着剤導入用の貫通穴４２ｂとで構成されている。
【００３７】
そして、隔壁２１の先端と係止部とが接着剤により係止されている。すなわち、ケース２０をボディ４０に外嵌装着させる際に、ケース２０の隔壁２１の先端がスリット４２に挿入されるようにし、その状態でボディ４０の裏面側から貫通穴４２ｂを介してスリット４２に接着剤を導入することで、隔壁２１の先端と係止部とを接着固定している。
【００３８】
このように、隔壁２１の先端と係止部とを接着固定することで、ケース２０をボディ４０に接着固化（熱硬化）させる際に、電磁リレー１が熱せられることによる膨張と冷却時の収縮によって、ケース２０やボディ４０が反るまたは変形するのを抑制することができるようになる。
【００３９】
さらに、本実施形態では、スリット（係止部）４２と隔壁２１との間に、接着剤の移動を規制する規制部が形成されている。
【００４０】
具体的には、図７に示すように、スリット４２の貫通穴４２ｂよりもボディ４０の短手方向中央側に突起（規制部）４２ｃが設けられており、この突起４２ｃによって突起４２ｃよりも短手方向内側に接着剤が流れてしまうのを規制している。このように、ボディ４０の短手方向中央側に接着剤が流れてしまうのを抑制することで、カード５０等の移動が接着剤によって阻害されてしまうのを抑制することができるようになる。
【００４１】
また、本実施形態では、ケース２０をボディ４０に外嵌装着させた状態で、複数の接点機構６０，７０が隔壁２１によってそれぞれ隔離されるようにしている。
【００４２】
すなわち、それぞれの隔壁２１は、ボディ４０とケース２０とを固定した際に、各接点機構６０，７０をそれぞれ仕切るようになっている。このように、各接点機構６０，７０のそれぞれを隔壁２１によって仕切ることで、各接点機構６０，７０が絶縁されることとなる。すなわち、本実施形態では、隔壁２１は、各接点機構６０，７０を絶縁する絶縁部材としての機能も有している。なお、本実施形態では、隔壁２１は、先端部分の厚さが薄くなるように形成されており、各接点機構６０，７０の絶縁強度を高めつつ、隔壁２１の先端をスリット４２へ挿入させやすくしている。
【００４３】
さらに、本実施形態では、図３および図５に示すように、スリット４２に、ボディ４０の側部に開口する開口部４２ａを形成している。このように、スリット４２に開口部４２ａを形成することで、ケース２０の外周部２０ａを外周溝４３に接着する際に用いられる接着剤がスリット４２内に滲入するため、リレー１の耐久性（強度や耐熱性）をより一層向上させることができるようになる。
【００４４】
以上、説明したように、本実施形態では、ケース２０の内側に隔壁２１を設けるとともに、隔壁２１の先端部をボディ４０に係止させている。
【００４５】
特に、本実施形態では、貫通穴４２ｂから接着材を導入することで隔壁２１の先端部をボディ４０に係止させている。
【００４６】
したがって、ケース２０をボディ４０に接着固化（熱硬化）させる際に、電磁リレー１が熱せられることによる膨張と冷却時の収縮によって、ケース２０やボディ４０が反るまたは変形するのを抑制することができる。
【００４７】
すなわち、従来のように、ケース２０とボディ４０とを外周部の接着のみで固定している場合には、ボディ４０が反るまたは変形するおそれがあり、ボディ４０が反ったり変形したりすると、ボディ４０に組み付けられた接点機構や電磁石装置の組み付け位置がずれてしまい、リレーの特性変化に与える影響が大きくなってしまう。
【００４８】
しかしながら、本実施形態によれば、ボディ４０の反りや変形を抑制することができるため、接着固化（ケース２０のボディ４０への取り付け）時に、リレーの特性が変化してしまうのを抑制することができる。また、隔壁２１を設けるとともに、当該隔壁２１をボディ４０に設けた係止部に係止することで、リレー１の耐久性（強度や耐熱性）を向上させることができるようになる。
【００４９】
また、本実施形態によれば、接点機構６０，７０を隔壁２１によって分離するようにしたため、隔壁２１によって各接点機構６０，７０同士を絶縁させることができるようになる。
【００５０】
また、本実施形態によれば、係止部は、隔壁２１の先端が挿入されるスリット（溝部）４２を有しており、当該スリット（溝部）４２内で隔壁２１の先端を係止するようにしている。そのため、スリット（溝部）４２により隔壁２１の位置決めがなされ、より確実に隔壁２１を接着（係止）させることができる上、リレー１の耐久性（強度や耐熱性）をより一層向上させることができるようになる。
【００５１】
また、本実施形態によれば、スリット（係止部）４２と隔壁２１との間に、接着剤の移動を規制する突起（規制部）４２ｃを設けている。そのため、スリット（係止部）４２の内側に接着剤が流れてしまうのを抑制することができる。その結果、カード５０等の移動が接着剤によって阻害されてしまうのを抑制することができるようになる。すなわち、接着剤によって電磁リレー１の動作性が悪化してしまうのを抑制することができる。
【００５２】
また、本実施形態によれば、スリット４２に、ボディ４０の側部に開口する開口部４２ａを形成している。そのため、ケース２０の外周部２０ａを外周溝４３に接着する際に用いられる接着剤をスリット４２内に滲入させることができ、リレー１の耐久性（強度や耐熱性）をより一層向上させることができるようになる。
【００５３】
以上、本発明の好適な実施形態について説明したが、本発明は上記実施形態には限定されず、種々の変形が可能である。
【００５４】
例えば、上記各実施形態では、複数の接点機構を駆動部の両側に並設したものを例示したが、駆動部の一側に複数の接点機構を並設させてもよい。
【００５５】
また、可動ばねや接点、その他細部のスペック（形状、大きさ、レイアウト等）も適宜に変更可能である。
【符号の説明】
【００５６】
１  電磁リレー
１０  電磁リレー本体部
２０  ケース
２１  隔壁
３０  電磁石装置（駆動部）
４０  ボディ
４１  スリット穴
４２  スリット（係止部、溝部）
４２ａ  開口部
４２ｂ  貫通穴（係止部）
４２ｃ  突起（規制部）
５０  カード（移動体）
６０  接点機構
７０  接点機構
【図１】
0005624431.tif 000002
【図２】
0005624431.tif 000003
【図３】
0005624431.tif 000004
【図４】
0005624431.tif 000005
【図５】
0005624431.tif 000006
【図６】
0005624431.tif 000007
【図７】
0005624431.tif 000008